(57)【特許請求の範囲】
【請求項１】
自装置の予め定めた状態をランプの点灯あるいは点滅で表示する表示ランプと、
所定の認証手続きに使用する自装置側の認証確認用データを格納する認証確認用データ格納手段と、
自装置と予め定めた特定端末とを有線または無線で接続する特定端末接続手段と、
前記特定端末と自装置が前記特定端末接続手段によって接続したとき前記表示ランプの表示動作を可能とするための認証申請データの送信を要求する認証申請データ要求手段と、
この認証申請データ要求手段の要求に対して認証申請データが送られてきたときこれを受信する認証申請データ受信手段と、
この認証申請データ受信手段の受信した認証申請データを前記認証確認用データ格納手段に格納された前記認証確認用データと比較して認証の成否を判別する認証手段と、
この認証手段で認証が成功したと判別したとき前記表示ランプの表示動作を開始させる表示開始手段と、
前記表示開始手段による表示が開始してから予め定めた第１の時間の計時を開始する第１のカウンタと、この第１のカウンタが第１の時間の計時を終了した時点で前記表示ランプの表示動作を終了させる表示終了手段と
を具備することを特徴とする電子機器。
【請求項２】
自装置の予め定めた状態をランプの点灯あるいは点滅で表示する表示ランプと、
所定の認証手続きに使用する自装置側の認証確認用データを格納する認証確認用データ格納手段と、
自装置と予め定めた特定端末とを有線または無線で接続する特定端末接続手段と、
前記特定端末と自装置が前記特定端末接続手段によって接続したとき前記表示ランプの表示動作を可能とするための認証申請データの送信を要求する認証申請データ要求手段と、
この認証申請データ要求手段の要求に対して認証申請データが送られてきたときこれを受信する認証申請データ受信手段と、
この認証申請データ受信手段の受信した認証申請データを前記認証確認用データ格納手段に格納された前記認証確認用データと比較して認証の成否を判別する認証手段と、
この認証手段で認証が成功したと判別したとき前記表示ランプの表示動作を開始させる表示開始手段と、
前記特定端末による認証が成功した後に前記特定端末からログアウトの要求があったとき前記表示ランプへの電源の供給を開始させるスイッチオン手段と
を具備することを特徴とする電子機器。
【請求項３】
前記スイッチオン手段による前記表示ランプへの電源の供給が開始してから予め定めた第２の時間の計時を開始する第２のカウンタと、この第２のカウンタが第２の時間の計時を終了した時点で前記表示ランプへの電源の供給を停止させるスイッチオフ手段を更に具備することを特徴とする請求項２記載の電子機器。
【請求項４】
予め定めた特定端末と、
自装置の予め定めた状態をランプの点灯あるいは点滅で表示する表示ランプと、所定の認証手続きに使用する自装置側の認証確認用データを格納する認証確認用データ格納手段と、自装置と前記特定端末とを有線または無線で接続する特定端末接続手段と、前記特定端末と自装置が前記特定端末接続手段によって接続したとき前記表示ランプの表示動作を可能とするための認証申請データの送信を要求する認証申請データ要求手段と、この認証申請データ要求手段の要求に対して認証申請データが送られてきたときこれを受信する認証申請データ受信手段と、この認証申請データ受信手段の受信した認証申請データを前記認証確認用データ格納手段に格納された前記認証確認用データと比較して認証の成否を判別する認証手段と、この認証手段で認証が成功したと判別したとき前記表示ランプの表示動作を開始させる表示開始手段とを備えた電子機器と、
前記認証申請データを格納する認証申請データ格納手段と、前記認証申請データ要求手段から認証申請データが要求されたとき前記認証申請データ格納手段に格納された認証申請データを無線で送信する認証申請データ送信手段とを備えたＩＣ（Integrated Circuit）タグ
とを具備し、
前記ＩＣタグによる認証が成功した後にこのＩＣタグが前記電子機器から検出できなくなったときログアウトとして前記表示ランプへの電源の供給を開始させるスイッチオン手段を具備することを特徴とする電子機器の状態表示確認システム。
【請求項５】
前記スイッチオン手段による前記表示ランプへの電源の供給が開始してから予め定めた第２の時間の計時を開始する第２のカウンタと、この第２のカウンタが第２の時間の計時を終了した時点で前記表示ランプへの電源の供給を停止させるスイッチオフ手段を更に具備することを特徴とする請求項４記載の電子機器の状態表示確認システム。
【発明の詳細な説明】
【技術分野】
【０００１】
本発明は、電子機器、電子機器の状態表示確認システム、方法およびプログラムに係わり、特に保守や診断に有効な機能をもった電子機器ならびに保守や診断に好適な電子機器の状態表示確認システム、方法およびプログラムに関する。
【背景技術】
【０００２】
電子機器の多くは、現在の機器の状態を表示するための発光手段としてのランプを備えている。たとえば通信機器としてのルータを例にとると、電源が供給されていることを示す電源ランプの他に、各ポートの通信状態や通信量を示す多数のランプが配置されている（たとえば特許文献１参照）。
【０００３】
これらのランプには小型電球が使用される場合もあるが、現在ではその多くがＬＥＤ（Light Emitting Diode）で構成されている。したがって、ランプの表示色も変更できるようになっているものが多い。たとえばルータの場合には、接続されたＬＡＮ（Local Area Network）にアクセスがあるときやパケットの送信時に衝突が発生したとき、あるいは接続したケーブルに断線が生じたとき等の各種の状況に応じて、ポート別に発色が異なるように設定されている。
【０００４】
このようなランプ表示は、電子機器の現在の状況を視覚的に把握させるために役に立つ。しかしながら、同一の状態表示を継続的にランプ表示することは省電力という観点からは問題となる。そこで、ある処理が行われてから所定時間が経過した時点で電子機器をスリープ状態に移行させ、新たな処理が行われるまでランプの表示をオフにすることが本発明の第１の関連技術として提案されている（たとえば特許文献２参照）。
【０００５】
この第１の関連技術によれば新たな処理が行われるときランプ表示が再び行われるので、電子機器のユーザは新たな状況を把握することができる。しかも、新たな処理が行われた後に所定時間が経過すると、再びスリープ状態に移行するので、その時点でランプ表示がオフとなって、電力消費の節減が図られることになる。
【０００６】
また、本発明の第２の関連技術として、エコ（economy）モード選択スイッチ等の手動スイッチを操作することで表示に関する電力消費を節減することが提案されている（たとえば特許文献３参照）。この第２の関連技術では、エコモード選択スイッチをオンにすると、スイッチングハブのネットワークケーブルの長さに合わせて回路のバイアス電流を調整する。また、通信表示系ＬＥＤについては、ユーザがＶＩＥＷ（視覚表示）選択スイッチを押さなければ、消灯状態になる。
【先行技術文献】
【特許文献】
【０００７】
【特許文献１】特開２００４−０３２３０８号公報（第００３６段落、図２）
【特許文献２】特開２０１０−２２１６２８号公報（第００３４段落、図２）
【特許文献３】特開２０１０−０２８４４８号公報（第００３１段落、第００３９段落、図２）
【発明の概要】
【発明が解決しようとする課題】
【０００８】
ところで、テレビジョンやコンピュータのディスプレイのようにユーザが視覚によってその機器自体の存在を常に意識する電子機器と異なり、ルータ等のある種の電子機器は普段人目に触れない状態となっている。このような電子機器で、各種の表示用のランプの点灯状態が普段の状態で注目されることはない。
【０００９】
第１の関連技術では、電子機器の表示ランプが人によって見られているか否かに係わらず、状況の変化に対応させて表示を行っている。したがって、同一の状況に対する継続的なランプ表示を行わないようにする点で節電効果が存在するにしても、誰も見ていない状況でも視覚的な表示を行う点で電力消費に無駄が生じる。
【００１０】
また、その時々の電子機器の状況を事細かに表示するような電子機器の場合には、たとえばポートごとの使用状況や障害の発生の把握が可能になって、不特定人にこれらを公開することについてセキュリティ上の問題を発生させる場合もある。
【００１１】
第２の関連技術では、エコモード選択スイッチをオンにすることで節電を図ることができる。しかしながら、回路のバイアス電流を調整するだけでは電力消費の無駄を省くことができても、セキュリティ上の問題を解消することができない。また、ＶＩＥＷ（視覚表示）選択スイッチは無駄な電力消費を手動で防止するためのものである。したがって、ＶＩＥＷ選択スイッチを押せば誰でも表示を見ることができ、セキュリティ上の問題をすることが解決できない。
【００１２】
そこで本発明の目的は、保守点検を行う者のように特定人のみが予め定めた内容のランプ表示を可能とする電子機器、電子機器の状態表示確認システム、方法およびプログラムを提供することにある。
【課題を解決するための手段】
【００１３】
本発明では、（イ）自装置の予め定めた状態をランプの点灯あるいは点滅で表示する表示ランプと、（ロ）所定の認証手続きに使用する自装置側の認証確認用データを格納する認証確認用データ格納手段と、（ハ）自装置と予め定めた特定端末とを有線または無線で接続する特定端末接続手段と、（ニ）前記した特定端末と自装置が前記した特定端末接続手段によって接続したとき前記した表示ランプの表示動作を可能とするための認証申請データの送信を要求する認証申請データ要求手段と、（ホ）この認証申請データ要求手段の要求に対して認証申請データが送られてきたときこれを受信する認証申請データ受信手段と、（へ）この認証申請データ受信手段の受信した認証申請データを前記した認証確認用データ格納手段に格納された前記した認証確認用データと比較して認証の成否を判別する認証手段と、（ト）この認証手段で認証が成功したと判別したとき前記した表示ランプの表示動作を開始させる表示開始手段とを電子機器が具備する。
【００１４】
また、本発明では、（イ）予め定めた特定端末と、（ロ）自装置の予め定めた状態をランプの点灯あるいは点滅で表示する表示ランプと、所定の認証手続きに使用する自装置側の認証確認用データを格納する認証確認用データ格納手段と、自装置と前記した特定端末とを有線または無線で接続する特定端末接続手段と、前記した特定端末と自装置が前記した特定端末接続手段によって接続したとき前記した表示ランプの表示動作を可能とするための認証申請データの送信を要求する認証申請データ要求手段と、この認証申請データ要求手段の要求に対して認証申請データが送られてきたときこれを受信する認証申請データ受信手段と、この認証申請データ受信手段の受信した認証申請データを前記した認証確認用データ格納手段に格納された前記した認証確認用データと比較して認証の成否を判別する認証手段と、この認証手段で認証が成功したと判別したとき前記した表示ランプの表示動作を開始させる表示開始手段とを備えた電子機器とを電子機器の状態表示確認システムが具備する。
【００１５】
更に本発明では、（イ）予め定めた特定端末と、（ロ）自装置の予め定めた状態をランプの点灯あるいは点滅で表示する表示ランプと、所定の認証手続きに使用する自装置側の認証確認用データを格納する認証確認用データ格納手段と、自装置と前記した特定端末とを有線または無線で接続する特定端末接続手段と、前記した特定端末と自装置が前記した特定端末接続手段によって接続したとき前記した表示ランプの表示動作を可能とするための認証申請データの送信を要求する認証申請データ要求手段と、この認証申請データ要求手段の要求に対して認証申請データが送られてきたときこれを受信する認証申請データ受信手段と、この認証申請データ受信手段の受信した認証申請データを前記した認証確認用データ格納手段に格納された前記した認証確認用データと比較して認証の成否を判別する認証手段と、この認証手段で認証が成功したと判別したとき前記した表示ランプの表示動作を開始させる表示開始手段とを備えた電子機器と、（ハ）前記した認証申請データを格納する認証申請データ格納手段と、前記した認証申請データ要求手段から認証申請データが要求されたとき前記した認証申請データ格納手段に格納された認証申請データを無線で送信する認証申請データ送信手段とを備えたＩＣ（Integrated Circuit）タグとを電子機器の状態表示確認システムが具備する。
【００１６】
更にまた、本発明では、（イ）自装置と予め定めた特定端末とを有線または無線で接続する特定端末接続ステップと、（ロ）この特定端末接続ステップで前記した特定端末と自装置が接続したとき自装置の予め定めた状態をランプの点灯あるいは点滅で表示する表示ランプの表示動作を可能とするための認証申請データの送信を要求する認証申請データ要求ステップと、（ハ）この認証申請データ要求ステップによる要求に対して前記した認証申請データが送られてきたときこれを受信する認証申請データ受信ステップと、（ニ）この認証申請データ受信ステップで受信した前記した認証申請データを、所定の認証手続きに使用する自装置側の認証確認用データと比較して認証の成否を判別する認証ステップと、（ホ）この認証ステップで認証が成功したと判別したとき前記した表示ランプの表示動作を開始させる表示開始ステップとを電子機器の状態表示確認方法が具備する。
【００１７】
また、本発明では、コンピュータに、電子機器の状態表示確認プログラムとして、（イ）自装置と予め定めた特定端末とを有線または無線で接続する特定端末接続処理と、（ロ）この特定端末接続処理で前記した特定端末と自装置が接続したとき自装置の予め定めた状態をランプの点灯あるいは点滅で表示する表示ランプの表示動作を可能とするための認証申請データの送信を要求する認証申請データ要求処理と、（ハ）この認証申請データ要求処理による要求に対して前記した認証申請データが送られてきたときこれを受信する認証申請データ受信処理と、（ニ）この認証申請データ受信処理で受信した前記した認証申請データを、所定の認証手続きに使用する自装置側の認証確認用データと比較して認証の成否を判別する認証処理と、（ホ）この認証処理で認証が成功したと判別したとき前記した表示ランプの表示動作を開始させる表示開始処理とを実行させることを特徴とする。
【発明の効果】
【００１８】
以上説明したように本発明によれば、特定端末を特定端末接続手段（ステップあるいは処理）によって接続したときに認証の処理が可能となる。したがって、セキュリティを確保した状態で自装置の状態表示が可能であり、また、特定端末を用いて認証の自動化も可能になる。もちろん、電子機器は特定端末接続手段（ステップあるいは処理）によって特定端末と接続されるので、本発明によれば、操作者はたとえばアプリケーションソフトウェアを用いることにより、特定端末を使用して電子機器の表示箇所を特定したり、電子機器からデータを取り出す等の発展的な操作も可能になる。
【図面の簡単な説明】
【００１９】
【図１】本発明の電子機器のクレーム対応図である。
【図２】本発明の電子機器の状態表示確認システムのクレーム対応図である。
【図３】本発明の他の電子機器の状態表示確認システムのクレーム対応図である。
【図４】本発明の電子機器の状態表示確認方法のクレーム対応図である。
【図５】本発明の電子機器の状態表示確認プログラムのクレーム対応図である。
【図６】本発明の実施の形態の機器点灯制御システムの構成の概要を表わしたシステム構成図である。
【図７】本実施の形態の機器点灯制御システムにおける電子機器側の制御部の構成の概要を表わしたブロック図である。
【図８】本実施の形態でＬＥＤがスイッチオン状態となっている電子機器に対する保守作業者の作業手順を表わした流れ図である。
【図９】ステップＳ２０２およびステップＳ２０３に対応する電子機器側の処理の流れを具体的に表わした流れ図である。
【図１０】ステップＳ２０４およびステップＳ２０５に対応する電子機器側の処理の具体的な流れを表わした流れ図である。
【図１１】本実施の形態で各ＬＥＤの点灯制御の様子を表わした説明図である。
【図１２】本発明の第１の変形例における電子機器に対する保守作業者の作業手順を表わした流れ図である。
【図１３】第１の変形例における図９に対応した処理として保守作業時の電子機器の処理の前半を表わした流れ図である。
【図１４】第１の変形例における図１０に対応した処理として保守作業時の電子機器の処理の後半を表わした流れ図である。
【図１５】本発明の第２の変形例における機器点灯制御システムの構成の概要を表わしたシステム構成図である。
【図１６】第２の変形例における制御部の概要を表わしたブロック図である。
【図１７】図８に示したステップＳ２０２およびステップＳ２０３に対応する第２の変形例における電子機器側の処理の流れを示した流れ図である。
【図１８】保守作業の後半として、ステップＳ２０４およびステップＳ２０５に対応する電子機器側の処理の具体的な流れを表わした流れ図である。
【発明を実施するための形態】
【００２０】
図１は、本発明の電子機器のクレーム対応図を示したものである。本発明の電子機器１０は、表示ランプ１１と、認証確認用データ格納手段１２と、特定端末接続手段１３と、認証申請データ要求手段１４と、認証申請データ受信手段１５と、認証手段１６と、表示開始手段１７を備えている。ここで、表示ランプ１１は、自装置の予め定めた状態をランプの点灯あるいは点滅で表示する。認証確認用データ格納手段１２は、所定の認証手続きに使用する自装置側の認証確認用データを格納する。特定端末接続手段１３は、自装置と予め定めた特定端末とを有線または無線で接続する。認証申請データ要求手段１４は、前記した特定端末と自装置が特定端末接続手段１３によって接続したとき表示ランプ１１の表示動作を可能とするための認証申請データの送信を要求する。認証申請データ受信手段１５は、認証申請データ要求手段１４の要求に対して認証申請データが送られてきたときこれを受信する。認証手段１６は、認証申請データ受信手段１５の受信した認証申請データを認証確認用データ格納手段１２に格納された前記した認証確認用データと比較して認証の成否を判別する。表示開始手段１７は、認証手段１６で認証が成功したと判別したとき表示ランプ１１の表示動作を開始させる。
【００２１】
図２は、本発明の電子機器の状態表示確認システムのクレーム対応図を示したものである。本発明の電子機器の状態表示確認システム２０は、特定端末２１と電子機器２２を備えている。ここで、特定端末２１は予め定めた端末である。電子機器２２は、表示ランプ２２ａと、認証確認用データ格納手段２２ｂと、特定端末接続手段２２ｃと、認証申請データ要求手段２２ｄと、認証申請データ受信手段２２ｅと、認証手段２２ｆと、表示開始手段２２ｇとを備えている。表示ランプ２２ａは、自装置の予め定めた状態をランプの点灯あるいは点滅で表示する。認証確認用データ格納手段２２ｂは、所定の認証手続きに使用する自装置側の認証確認用データを格納する。特定端末接続手段２２ｃは、自装置と特定端末２１とを有線または無線で接続する。認証申請データ要求手段２２ｄは、特定端末２１と自装置が特定端末接続手段２２ｃによって接続したとき表示ランプ２２ａの表示動作を可能とするための認証申請データの送信を要求する。認証申請データ受信手段２２ｅは、認証申請データ要求手段２２ｄの要求に対して認証申請データが送られてきたときこれを受信する。認証手段２２ｆは、認証申請データ受信手段２２ｅの受信した認証申請データを認証確認用データ格納手段２２ｂに格納された前記した認証確認用データと比較して認証の成否を判別する。表示開始手段２２ｇは、認証手段２２ｆで認証が成功したと判別したとき表示ランプ２２ａの表示動作を開始させる。
【００２２】
図３は、本発明の他の電子機器の状態表示確認システムのクレーム対応図を示したものである。本発明の他の電子機器の状態表示確認システム３０は、特定端末３１と、電子機器３２と、ＩＣタグ３３を備えている。ここで、特定端末３１は、予め定めた端末である。電子機器３２は、表示ランプ３２ａと、認証確認用データ格納手段３２ｂと、特定端末接続手段３２ｃと、認証申請データ要求手段３２ｄと、認証申請データ受信手段３２ｅと、認証手段３２ｆと、表示開始手段３２ｇとを備えている。表示ランプ３２ａは、自装置の予め定めた状態をランプの点灯あるいは点滅で表示する。認証確認用データ格納手段３２ｂは、所定の認証手続きに使用する自装置側の認証確認用データを格納する。特定端末接続手段３２ｃは、自装置と特定端末３１とを有線または無線で接続する。認証申請データ要求手段３２ｄは、特定端末３１と自装置が特定端末接続手段３２ｃによって接続したとき前記した表示ランプ３２ａの表示動作を可能とするための認証申請データの送信を要求する。認証申請データ受信手段３２ｅは、認証申請データ要求手段３２ｄの要求に対して認証申請データが送られてきたときこれを受信する。認証手段３２ｆは、認証申請データ受信手段３２ｅの受信した認証申請データを認証確認用データ格納手段３２ｂに格納された前記した認証確認用データと比較して認証の成否を判別する。表示開始手段３２ｇは、認証手段３２ｆで認証が成功したと判別したとき表示ランプ３２ａの表示動作を開始させる。また、ＩＣ（Integrated Circuit）タグ３３は、認証申請データ格納手段３３ａと、認証申請データ送信手段３３ｂとを備えている。認証申請データ格納手段３３ａは、前記した認証申請データを格納する。認証申請データ送信手段３３ｂは、認証申請データ要求手段３２ｄから認証申請データが要求されたとき認証申請データ格納手段３３ａに格納された認証申請データを無線で送信する。
【００２３】
図４は、本発明の電子機器の状態表示確認方法のクレーム対応図を示したものである。本発明の電子機器の状態表示確認方法４０は、特定端末接続ステップ４１と、認証申請データ要求ステップ４２と、認証申請データ受信ステップ４３と、認証ステップ４４と、表示開始ステップ４５を備えている。ここで、特定端末接続ステップ４１では、自装置と予め定めた特定端末とを有線または無線で接続する。認証申請データ要求ステップ４２では、特定端末接続ステップ４１で前記した特定端末と自装置が接続したとき自装置の予め定めた状態をランプの点灯あるいは点滅で表示する表示ランプの表示動作を可能とするための認証申請データの送信を要求する。認証申請データ受信ステップ４３では、認証申請データ要求ステップ４２による要求に対して前記した認証申請データが送られてきたときこれを受信する。認証ステップ４４では、認証申請データ受信ステップ４３で受信した前記した認証申請データを、所定の認証手続きに使用する自装置側の認証確認用データと比較して認証の成否を判別する。表示開始ステップ４５では、認証ステップ４４で認証が成功したと判別したとき前記した表示ランプの表示動作を開始させる。
【００２４】
図５は、本発明の電子機器の状態表示確認プログラムのクレーム対応図を示したものである。本発明の電子機器の状態表示確認プログラム５０は、コンピュータに、特定端末接続処理５１と、認証申請データ要求処理５２と、認証申請データ受信処理５３と、認証処理５４と、表示開始処理５５を実行させるようにしている。ここで、特定端末接続処理５１では、自装置と予め定めた特定端末とを有線または無線で接続する。認証申請データ要求処理５２では、特定端末接続処理５１で前記した特定端末と自装置が接続したとき自装置の予め定めた状態をランプの点灯あるいは点滅で表示する表示ランプの表示動作を可能とするための認証申請データの送信を要求する。認証申請データ受信処理５３では、認証申請データ要求処理５２による要求に対して前記した認証申請データが送られてきたときこれを受信する。認証処理５４では、認証申請データ受信処理５３で受信した前記した認証申請データを、所定の認証手続きに使用する自装置側の認証確認用データと比較して認証の成否を判別する。表示開始処理５５では、認証処理５４で認証が成功したと判別したとき前記した表示ランプの表示動作を開始させる。
【００２５】
＜発明の実施の形態＞
【００２６】
次に本発明の実施の形態を説明する。
【００２７】
図６は、本発明の実施の形態の機器点灯制御システムの構成の概要を表わしたものである。本実施の形態の機器点灯制御システム１００は、操作端末１０１と、この操作端末１０１にコンソールケーブル１０２を介して接続された電子機器１０３とによって構成されている。
【００２８】
一例として電子機器１０３はＬＥＤ（Light Emitting Diode）を表示に使用したスイッチ装置やルータである。電子機器１０３がルータの場合、操作端末１０１はこのルータと接続されるパーソナルコンピュータである。本実施の形態ではルータのコンソールポートと呼ばれるポートに所定のコンソールケーブル１０２を介してパーソナルコンピュータが接続されることを前提として機器点灯制御システム１００の説明を行う。
【００２９】
電子機器１０３は、その筐体内部にバックプレーン（Backplane）１１１と呼ばれるプリント基板等の回路基板が配置されている。バックプレーン１１１は、その図示しないカードスロットにＣＰＵ（Central Processing Unit）カード１１２を装着すると共に、所望のカードを装着するための第１〜第Ｍのスロット１１３1〜１１３Mを備えている。このうちの第１のスロット１１３1には、インタフェースカード１１４が接続されているとする。第２〜第Ｍのスロット１１３2〜１１３Mについてのカードの装着については、煩雑さを避けるために図示および説明を省略する。
【００３０】
ＣＰＵカード１１２は、コンソールケーブル１０２の一端を接続するコンソールポートを備えたコネクタ１２１と、このコネクタ１２１に接続された制御部１２２と、この制御部１２２にバス１２３を介して接続された第１の制御デバイス１２４を備えている。コネクタ１２１は、保守作業者が操作時に操作端末１０１をコンソールケーブル１０２で保守対象の電子機器１０３に接続するためのものである。操作端末１０１を電子機器１０３に接続することで、保守作業者は制御部１２２を用いて、電子機器１０３を通信に使用する場合の通信ケーブルの接続状態の認識や、操作端末１０１のログイン、ログアウト、コマンド処理および後に説明する各種のタイマの時間設定や電子機器１０３の監視を行うことができる。
【００３１】
第１の制御デバイス１２４は、電子機器１０３の全体のステータス（現在の状況）を表示する全体ステータスＬＥＤ１２６と、ＣＰＵカード１１２のステータスを表示するＣＰＵステータスＬＥＤ１２７と接続されている。ここで全体ステータスＬＥＤ１２６は、電子機器１０３の図示しない電源スイッチの近傍等の筐体外部の見やすい位置に配置されている。また、ＣＰＵステータスＬＥＤ１２７の方は、ＣＰＵカード１１２における電子機器１０３の外部から見やすい位置に配置されている。
【００３２】
第１のスロット１１３1に装着されたインタフェースカード１１４は、第２の制御デバイス１３１と、パケット処理機能部１３２および第１〜第４のＰＨＹ（physical）・ＭＡＣ（media access Control）部１３３1〜１３３4を備えている。ここで第２の制御デバイス１３１は、インタフェースカード１１４のステータスを第１の制御デバイス１２４に伝達する等の各種の処理を行うためにＣＰＵカード１１２内のバス１２３と接続されている。パケット処理機能部１３２は、バックプレーン１１１を介して第２〜第Ｍのスロット１１３2〜１１３Mに接続されるカード（図示せず）と通信を行うことができる。
【００３３】
メディア・物理層部分を制御する第１〜第４のＰＨＹ・ＭＡＣ部１３３1〜１３３4は、第１〜第４のポートと対応しており、それぞれパケット処理機能部１３２および第２の制御デバイス１３１と接続されている。第１〜第４のＰＨＹ・ＭＡＣ部１３３1〜１３３4は、送受信の対象となる第１〜第４ポートにおける「０」および「１」の信号状態の判別とＭＡＣフレームの変換を行う回路機能を持っている。これら第１〜第４のＰＨＹ・ＭＡＣ部１３３1〜１３３4は、それぞれリンクＬＥＤ１３４1〜１３４4の対応するものと、トラフィックＬＥＤ１３５1〜１３５4の対応するものと接続されている。ここでリンクＬＥＤ１３４1〜１３４4は、該当する回線ポートのリンク状態を示すＬＥＤである。また、トラフィックＬＥＤ１３５1〜１３５4は、第１〜第４ポートにおけるデータ送受信の流量を示すＬＥＤである。
【００３４】
第２の制御デバイス１３１には、インタフェースカード１１４全体のステータスを表示するためのカード別ステータスＬＥＤ１３７も配置されている。
【００３５】
このように本実施の形態の電子機器１０３は、第２〜第Ｍのスロット１１３2〜１１３Mを計算の対象としない場合でも、ＬＥＤが全部で１１個使用されている。第１の制御デバイス１２４は、制御部１２２の制御の下で、このうちの全体ステータスＬＥＤ１２６とＣＰＵステータスＬＥＤ１２７の連続点灯（以下、単に「点灯」という）、点滅および消灯の制御を行う。また、第２の制御デバイス１３１は、制御部１２２の制御の下でカード別ステータスＬＥＤ１３７、リンクＬＥＤ１３４1〜１３４4ならびにトラフィックＬＥＤ１３５1〜１３５4の点灯、点滅および消灯の制御を行う。
【００３６】
図７は、制御部の構成の概要を表わしたものである。図６と共に説明する。
【００３７】
制御部１２２は、ＣＰＵカード１１２の全体を制御するＣＰＵ１４１を備えている。ＣＰＵ１４１は、制御部１２２内でメモリ１４２、第１のタイマ１４３、第２のタイマ１４４、ＩＤ・パスワード格納部１４５および異常履歴格納部１４６と接続されている。
【００３８】
ここで、メモリ１４２はＣＰＵ１４１の実行するプログラムを格納したり、作業用のメモリ領域となる。第１のタイマ１４３は、該当するＬＥＤのスイッチオンの時点からスイッチオフまでの時間を測定するものである。第２のタイマ１４４は、保守作業完了後、ログアウトに同期させ、ＬＥＤスイッチをオンに戻した後に、そのＬＥＤをスイッチオフに変更するまでの時間を測定するものである。ＩＤ・パスワード格納部１４５は、保守作業者が操作端末１０１でログインするときのユーザＩＤ（Identification）およびパスワードを格納するメモリ領域である。異常履歴格納部１４６は、ＣＰＵカード１１２ならびにインタフェースカード１１４に異常が発生したり、第１〜第４のＰＨＹ・ＭＡＣ部１３３1〜１３３4でエラーデータの送受信が検出されたときに、これらの異常履歴を異常履歴データとして格納するようになっている。これらの異常履歴データは、保守作業者が特に指定しなければ、前回のログアウトが行われてから現在に至る範囲で読み出しが行われるようになっている。
【００３９】
従来のルータ等の電子機器でも、本実施の形態の電子機器１０３と同様に各種のＬＥＤが実装されており、機器の稼働状態に連動してそれらの点灯あるいは点滅が継続的に行われている。装置保守者がこれらのＬＥＤの動作状態を確認するとき以外でも、これら各種のＬＥＤが常に点灯あるいは点滅されることは不要な電力を消費することになる。したがって、必要時以外はこれらのＬＥＤを消灯させておくことが望ましい。
【００４０】
そこで本実施の形態では、機器へのログインまたはログアウトの操作に同期して該当するＬＥＤのスイッチオンあるいはスイッチオフを行うようにしている。また、ＬＥＤのスイッチオンから一定時間経過後にこれらのＬＥＤをスイッチオフすることで、消費電力の低減と、ＬＥＤの点灯時間の短縮による寿命向上を図ることにしている。
【００４１】
更に本実施の形態では、ＣＰＵカード１１２やインタフェースカード１１４の障害が発生したり、エラーパケットを送受信している回線ポートが存在する場合には、該当する異常部位のＬＥＤをスイッチオンとする一方、このような障害や異常の発生と直接関係しないＬＥＤはすべてスイッチオフすることにしている。これにより、必要なＬＥＤのみの点灯情報を得ることができるので、視認性が向上する。
【００４２】
また、本実施の形態ではＬＥＤを通常の状態でスイッチオフにして、保守作業時にログインしている期間のみ、該当するＬＥＤのスイッチをオンにすることにしている。これにより、保守作業者が不在の状態で該当する電子機器の現状や通信流量の変動の様子を不特定人が見うる状態になることを防止して、セキュリティの向上を図っている。
【００４３】
図８は、ＬＥＤがスイッチオン状態となっている電子機器に対する保守作業者の作業手順を表わしたものである。図６および図７と共に説明する。
【００４４】
まず、保守作業者はコンソールケーブル１０２を使用して電子機器１０３に操作端末１０１を接続する（ステップＳ２０１）。電子機器１０３は保守作業の操作前の状態で全ＬＥＤが点灯または点滅の状態にある。ここで全ＬＥＤとは、全体ステータスＬＥＤ１２６、ＣＰＵステータスＬＥＤ１２７、リンクＬＥＤ１３４1〜１３４4、トラフィックＬＥＤ１３５1〜１３５4およびカード別ステータスＬＥＤ１３７の各ＬＥＤをいう。
【００４５】
保守作業者は、操作端末１０１からＩＤ・パスワード格納部１４５に格納されたユーザＩＤおよびパスワードを入力してログイン処理を行う（ステップＳ２０２）。このログイン処理が成功すると、電子機器１０３は異常が生じている部位があればそれらの点灯を行って保守作業者に通知する（ステップＳ２０３）。この後、保守作業者は各ＰＨＹ・ＭＡＣ部１３３1〜１３３4にアクセスして、ＬＥＤの点灯部位の局所化を行う（ステップＳ２０４）。
【００４６】
以上のようにして保守作業者は必要な作業を終了させたら、ログアウトを行い（ステップＳ２０５）、電子機器１０３から操作端末１０１を取り外し（ステップＳ２０６）、作業を終了する（エンド）。
【００４７】
図９は、以上説明した保守作業が行われるときのステップＳ２０２およびステップＳ２０３に対応する電子機器側の処理の流れを具体的に表わしたものである。図６〜図８と共に説明する。
【００４８】
図８のステップＳ２０２のログイン処理が行われて、ＣＰＵ１４１がログインの成功と判別した場合（ステップＳ２２１：Ｙ）、ＣＰＵ１４１は異常履歴格納部１４６から該当する日時範囲の異常履歴データを読み出して（ステップＳ２２２）、異常履歴データが存在するかをチェックする（ステップＳ２２３）。その結果、たとえば保守作業者が前回、この電子機器１０３に保守作業のためにアクセスした時点から新たな異常履歴データが異常履歴格納部１４６に格納されていた場合（Ｙ）、ＣＰＵ１４１は第１のタイマ１４３の計時を開始させる（ステップＳ２２４）。保守作業者が初めて電子機器１０３に保守作業のためにアクセスした場合には、異常履歴格納部１４６に格納されているすべての異常履歴データが読み出されることになる。もちろん、保守作業者は、任意の期間を指定して異常履歴格納部１４６から該当する異常履歴データを読み出すことも可能である。
【００４９】
第１のタイマ１４３の計時を開始させたら、ＣＰＵ１４１は異常履歴データで示された異常あるいはエラーの発生している、あるいは発生した該当する箇所のＬＥＤをすべてのスイッチオンの状態にしてこれらの点灯あるいは点滅表示を行わせる（ステップＳ２２５）。第１のタイマ１４３の計時が予め定めた時間に達する前までは（ステップＳ２２６：Ｎ）、ステップＳ２２５に処理が戻って該当する箇所のＬＥＤのすべての点灯あるいは点滅表示を継続する。
【００５０】
第１のタイマ１４３の計時が終了すると（ステップＳ２２６：Ｙ）、該当するＬＥＤのすべてをスイッチオフとして消灯させる（ステップＳ２２７）。これは、保守作業者が異常あるいはエラーの生じた箇所を確認したと想定される時間が経過した後まで該当するＬＥＤを通電することは電力消費に無駄が生じるからである。このようにして該当するＬＥＤのすべてをスイッチオフとしたら、ステップＳ２０３の処理が終了する（エンド）。
【００５１】
一方、ステップＳ２２３で異常履歴データが存在しないと判別した場合（Ｎ）、ＣＰＵ１４１は今までスイッチオンとなっていたすべてのＬＥＤをスイッチオフとする（ステップＳ２２８）。これらのＬＥＤの点灯状態がすでに確認できているので、これらのＬＥＤを通電することは電力消費に無駄が生じるからである。このようにして全ＬＥＤをスイッチオフにしたら、ステップＳ２０３の処理が終了する（エンド）。
【００５２】
図１０は、保守作業の後半として、ステップＳ２０４およびステップＳ２０５に対応する電子機器側の処理の具体的な流れを表わしたものである。図６〜図８と共に説明する。
【００５３】
ステップＳ２０３の処理が終了した時点でＣＰＵ１４１は保守作業者がインタフェースカード１１４の統計情報を取得するために、第１ポートから第４ポートに対応する第１〜第４のＰＨＹ・ＭＡＣ部１３３1〜１３３4のいずれかにアクセスするか（ステップＳ２５１）、あるいはログアウトするか（ステップＳ２５２）を監視している。
【００５４】
保守作業者が第１〜第４のＰＨＹ・ＭＡＣ部１３３1〜１３３4のいずれかを指定してアクセスの指示を行った場合（ステップＳ２５１：Ｙ）、ＣＰＵ１４１は第１のタイマ１４３の計時動作を開始させる（ステップＳ２５３）。そしてＣＰＵ１４１は該当するＰＨＹ・ＭＡＣ部１３３のリンクＬＥＤ１３４と、トラフィックＬＥＤ１３５を共にスイッチオンして、これらの点灯あるいは点滅を開始させる（ステップＳ２５４）。第１のタイマ１４３の計時が予め定めた時間に達する前までは（ステップＳ２５５：Ｎ）、他の回線ポートについてのアクセスの指示やログアウトが直ちに行われない限り（ステップＳ２５６：Ｎ、ステップＳ２５７：Ｎ）、ステップＳ２５４に処理が戻って該当する箇所のＬＥＤの点灯あるいは点滅表示が継続する。
【００５５】
他の回線ポートについてのアクセスの指示やログアウトが行われることなく（ステップＳ２５６：Ｎ、ステップＳ２５７：Ｎ）、第１のタイマ１４３の計時が終了した場合（ステップＳ２５５：Ｙ）、ＣＰＵ１４１は処理をステップＳ２５１に戻して保守作業者の操作を待機することになる。この待機時間にはステップＳ２５４の処理が行われない。すなわち、第１のタイマ１４３の計時が終了した時点から該当するＰＨＹ・ＭＡＣ部１３３のリンクＬＥＤ１３４とトラフィックＬＥＤ１３５が共に消灯して、電力消費の節減が図られることになる。
【００５６】
一方、第１のタイマ１４３の計時が終了する前であっても（ステップＳ２５５：Ｎ）、保守作業者が回線ポートのアクセスを新たに指示した場合には（ステップＳ２５６：Ｙ）、その時点から第１のタイマ１４３の計時が再度開始し（ステップＳ２５３）、新たに指定されたＰＨＹ・ＭＡＣ部１３３のリンクＬＥＤ１３４とトラフィックＬＥＤ１３５がスイッチオンとなる（ステップＳ２５４）。これは、たとえば保守作業者が第１のＰＨＹ・ＭＡＣ部１３３1についてのリンクＬＥＤ１３４1とトラフィックＬＥＤ１３５1についての点灯状態を確認したら、第１のタイマ１４３の計時が終了するまで待つことなく、直ちに第２のＰＨＹ・ＭＡＣ部１３３2のリンクＬＥＤ１３４2とトラフィックＬＥＤ１３５2等の他の回線ポートの状態を確認できるようにするためである。これにより、第１のタイマ１４３の計時が終了するまで１つの回線ポートのＬＥＤを点灯させておく必要がなくなり、保守作業者の作業効率のアップと電力消費の節減を図ることができる。
【００５７】
第１のタイマ１４３の計時が終了する前であっても（ステップＳ２５５：Ｎ）、同様に電子機器１０３はログアウトの指示を受け付けることができるステップＳ２５６：Ｎ、ステップＳ２５７：Ｙ）。この場合、およびステップＳ２５２でログアウトが指示された場合（Ｙ）、ＣＰＵ１４１はすべてのＬＥＤを点灯させて（ステップＳ２５８）、保守作業時の制御を終了する（エンド）。これにより、電子機器１０３は保守作業前の状態としての全ＬＥＤがスイッチオンの状態に戻る。
【００５８】
図１１は、本実施の形態で電子機器の全ＬＥＤが点灯した状態を表わしたものである。制御部１２２が第１の制御デバイス１２４および第２の制御デバイス１３１に対してＬＥＤ制御信号１６１を伝達する。これにより、第１の制御デバイス１２４が全体ステータスＬＥＤ１２６とＣＰＵステータスＬＥＤ１２７にＬＥＤ駆動信号１６２、１６３を送出して、これらを点灯制御する。このとき、異常がある場合には、たとえば該当するＬＥＤを赤色に点灯し、正常な場合には緑色に点灯させる。異常が発生した場合には該当するＬＥＤを消灯する制御を行ってもよい。また、点灯する色の代わりに点滅の態様を変えてもよい。
【００５９】
同様に、第２の制御デバイス１３１はカード別ステータスＬＥＤ１３７および第１〜第４のＰＨＹ・ＭＡＣ部１３３1〜１３３4に対してＬＥＤ制御信号１６４をそれぞれ送出する。カード別ステータスＬＥＤ１３７はＬＥＤ駆動信号１６５をカード別ステータスＬＥＤ１３７に送出して、その点灯制御を行う。第１〜第４のＰＨＹ・ＭＡＣ部１３３1〜１３３4は、それぞれＬＥＤ駆動信号１６６を対応するリンクＬＥＤ１３４に送出し、これらの点灯制御を行う。また、第１〜第４のＰＨＹ・ＭＡＣ部１３３1〜１３３4は、それぞれＬＥＤ駆動信号１６７を対応するトラフィックＬＥＤ１３５に送出して、これらの点灯制御も行う。カード別ステータスＬＥＤ１３７、リンクＬＥＤ１３４1〜１３４4およびトラフィックＬＥＤ１３５1〜１３５4の点灯する色等の点灯の態様は、全体ステータスＬＥＤ１２６やＣＰＵステータスＬＥＤ１２７の場合と同様である。
【００６０】
以上説明した実施の形態では、保守作業者による作業時の電子機器１０３の消費電力の低減に寄与するだけでなく、ＬＥＤの点灯時間短縮による長寿命化に寄与することができる。しかも、保守作業者のログイン、ログアウトおよび設定した時間経過によってＬＥＤに対するスイッチのオン・オフ制御が行われるので、保守作業者の手動による制御を必要とせず、現場での作業の妨げとならない。
【００６１】
また、本実施の形態によれば、障害の発生したＣＰＵカード１０３やインタフェースカード１１４、エラーデータを送受信している該当ポートのＰＨＹ・ＭＡＣ部１３３についてのみ、ログインに同期させてＬＥＤをスイッチオンにするので、異常部位の視認性が向上して、誤認防止を図ることができる。また、手動によらずにＬＥＤの表示を行うので、作業漏れの可能性が少なくなる。
【００６２】
また、回線ポートのアクセス指示を行った場合には、該当するポートについてのリンク状態やトラフィクの状態をＬＥＤで表示することができる。したがって、ポート数が非常に多数の場合にも該当するポートを誤認する危険性が少なく、電子機器の正確な状況判断が可能である。
【００６３】
更に第１のタイマ１４３を動作させて、計時動作が終了した時点で該当するＬＥＤをスイッチオフするようにしている。このため不要な電力消費を防ぐことができるだけでなく、セキュリティにも配慮したシステムとすることができる。
【００６４】
なお、実施の形態では図１０のステップＳ２５８で電子機器１０３を保守作業前の状態に戻すために、すべてのＬＥＤをスイッチオンの状態にしたが、これは保守作業の行われない状態で省電力モードが実行されないことを意味するものではない。すなわち、電子機器１０３が省電力モードに設定されているときには、ステップＳ２５８ですべてのＬＥＤをスイッチオンの状態にした後に第２のタイマ１４４の計時を開始させ、計時が終了した時点で省電力モードに応じて所定のＬＥＤを消灯状態に移行させることは自由である。
【００６５】
＜発明の第１の変形例＞
【００６６】
図１２は本発明の第１の変形例における電子機器に対する保守作業者の作業手順を表わしたものである。図１２で図８と同一部分には同一の符号を付しており、これらの説明を適宜省略する。
【００６７】
この第１の変形例でも先の実施の形態の図６および図７を使用する。ただし、第１の変形例の電子機器１０３は、通常の正常動作状態で全ＬＥＤが消灯の状態にある。ここで全ＬＥＤとは、全体ステータスＬＥＤ１２６、ＣＰＵステータスＬＥＤ１２７、リンクＬＥＤ１３４1〜１３４4、トラフィックＬＥＤ１３５1〜１３５4およびカード別ステータスＬＥＤ１３７の各ＬＥＤをいう。
【００６８】
まず、保守作業者はＬＥＤがすべてスイッチオフで消灯状態にある動作中の電子機器１０３に対して、コンソールケーブル１０２を使用して操作端末１０１を接続する（ステップＳ３０１）。この後、保守作業者は、操作端末１０１からＩＤ・パスワード格納部１４５に格納されたユーザＩＤおよびパスワードを入力してログイン処理を行う（ステップＳ２０２）。これ以降の作業手順は、図８と同一である。すなわち、第１の変形例では保守作業者がログインを開始するときの電子機器１０３のＬＥＤの点灯状態が実施の形態と異なるだけで、作業手順自体は同一となる。
【００６９】
ただし、第１の変形例でも保守作業が終了した時点で電子機器１０３が保守作業前の状態に戻る。したがって、第１の変形例では電子機器１０３の全ＬＥＤが保守作業の終了と共に再びスイッチオフの状態となり、消灯状態となる。
【００７０】
図１３は、この第１の変形例における図９に対応した処理として保守作業時の電子機器の処理の前半を表わしたものである。図１３で図９と同一部分には同一の符号を付しており、これらの説明を適宜省略する。
図６〜図８と共に説明する。
【００７１】
図８のステップＳ２０２のログイン処理が行われて、ＣＰＵ１４１がログインの成功と判別した場合（ステップＳ２２１：Ｙ）、ＣＰＵ１４１は異常履歴格納部１４６から該当する日時範囲の異常履歴データを読み出して（ステップＳ２２２）、異常履歴データが存在するかをチェックする（ステップＳ２２３）。その結果、たとえば保守作業者が前回、この電子機器１０３に保守作業のためにアクセスした時点から新たな異常履歴データが異常履歴格納部１４６に格納されていた場合（Ｙ）、ＣＰＵ１４１は第１のタイマ１４３の計時を開始させる（ステップＳ２２４）。
【００７２】
第１のタイマ１４３の計時を開始させたら、ＣＰＵ１４１は異常履歴データで示された異常あるいはエラーの発生している、あるいは発生した該当する箇所のＬＥＤをすべてのスイッチオンの状態にしてこれらの点灯あるいは点滅表示を行わせる（ステップＳ２２５）。第１のタイマ１４３の計時が予め定めた時間に達する前までは（ステップＳ２２６：Ｎ）、ステップＳ２２５に処理が戻って該当する箇所のＬＥＤをすべてが点灯あるいは点滅表示を継続する。
【００７３】
第１のタイマ１４３の計時が終了すると（ステップＳ２２６：Ｙ）、該当するＬＥＤのすべてをスイッチオフとして消灯させる（ステップＳ２２７）。このようにして該当するＬＥＤのすべてをスイッチオフとしたら、ステップＳ２０３の処理が終了する（エンド）。
【００７４】
一方、ステップＳ２２３で異常履歴データが存在しないと判別した場合（Ｎ）、ＣＰＵ１４１は第１のタイマ１４３の計時を開始させる（ステップＳ３２１）。そして、ＣＰＵ１４１は今までスイッチオフとなっていたすべてのＬＥＤをスイッチオンとする（ステップＳ３２２）。これは、この変形例の電子機器１０３が保守作業等の所定の状態以外ですべてのＬＥＤをスイッチオフとしているので、これらのＬＥＤの点灯あるいは点滅が正常に行われるかのチェックを行うためである。第１のタイマ１４３の計時が予め定めた時間に達する前までは（ステップＳ３２３：Ｎ）、ステップＳ３２２に処理が戻って該当する箇所のＬＥＤをすべてが点灯あるいは点滅表示を継続する。
【００７５】
第１のタイマ１４３の計時が予め定めた時間に達したら（ステップＳ３２３：Ｙ）、ＣＰＵ１４１は今までスイッチオンとなっていたすべてのＬＥＤをスイッチオフとする（ステップＳ２２８）。これらのＬＥＤの点灯状態が確認されたので、これらのＬＥＤの通電を継続することは電力消費に無駄が生じるからである。このようにして全ＬＥＤをスイッチオフにしたら、ステップＳ２０３の処理が終了する（エンド）。
【００７６】
図１４は、保守作業の後半として、ステップＳ２０４およびステップＳ２０５に対応する電子機器側の処理の具体的な流れを表わしたものである。図１４で図１０と同一部分には同一の符号を付しており、これらの説明を適宜省略する。図６〜図８と共に説明する。
【００７７】
ステップＳ２０３の処理が終了した時点でＣＰＵ１４１は保守作業者がインタフェースカード１１４の統計情報を取得するために、第１ポートから第４ポートに対応する第１〜第４のＰＨＹ・ＭＡＣ部１３３1〜１３３4のいずれかにアクセスするか（ステップＳ２５１）、あるいはログアウトするか（ステップＳ２５２）を監視している。
【００７８】
保守作業者が第１〜第４のＰＨＹ・ＭＡＣ部１３３1〜１３３4のいずれかを指定してアクセスの指示を行った場合（ステップＳ２５１：Ｙ）、ＣＰＵ１４１は第１のタイマ１４３の計時動作を開始させる。そしてＣＰＵ１４１は該当するＰＨＹ・ＭＡＣ部１３３のリンクＬＥＤ１３４と、トラフィックＬＥＤ１３５を共にスイッチオンして、これらの点灯あるいは点滅を開始させる（ステップＳ２５４）。第１のタイマ１４３の計時が予め定めた時間に達する前までは（ステップＳ２５５：Ｎ）、他の回線ポートについてのアクセスの指示やログアウトが直ちに行われない限りステップＳ２５６：Ｎ、ステップＳ２５７：Ｎ）、ステップＳ２５４に処理が戻って該当する箇所のＬＥＤの点灯あるいは点滅表示が継続する。
【００７９】
他の回線ポートについてのアクセスの指示やログアウトが行われることなく（ステップＳ２５６：Ｎ、ステップＳ２５７：Ｎ）、第１のタイマ１４３の計時が終了した場合（ステップＳ２５５：Ｙ）、ＣＰＵ１４１は処理をステップＳ２５１に戻して保守作業者の操作を待機することになる。
【００８０】
一方、第１のタイマ１４３の計時が終了する前であっても（ステップＳ２５５：Ｎ）、保守作業者が回線ポートのアクセスを新たに指示した場合には（ステップＳ２５６：Ｙ）、その時点から第１のタイマ１４３の計時が再度開始し（ステップＳ２５３）、新たに指定されたＰＨＹ・ＭＡＣ部１３３のリンクＬＥＤ１３４とトラフィックＬＥＤ１３５がスイッチオンとなる（ステップＳ２５４）。
【００８１】
第１のタイマ１４３の計時が終了する前であっても（ステップＳ２５５：Ｎ）、同様に電子機器１０３はログアウトの指示を受け付けることができるステップＳ２５６：Ｎ、ステップＳ２５７：Ｙ）。この場合、およびステップＳ２５２でログアウトが指示された場合（Ｙ）、ＣＰＵ１４１はすべてのＬＥＤをスイッチオンする（ステップＳ２５８）。
【００８２】
この後、ＣＰＵ１４１は第２のタイマ１４４の計時を開始させる（ステップＳ３４１）。第２のタイマ１４４の計時が終了したら（ステップＳ３４２：Ｙ）、ＣＰＵ１４１はステップＳ２５８の時点で点灯あるいは点滅状態としたすべてのＬＥＤを消灯させて（スイッチオフ）（ステップＳ３４３）、保守作業に対応した処理を終了する（エンド）。
【００８３】
このように第１の変形例では、保守作業等の所定の場合以外にそのＬＥＤをスイッチオフにしている電子機器１０３に対応させて、ステップＳ３４３で全ＬＥＤをスイッチオフにすることにした。これにより、電子機器１０３は通常の状態でＬＥＤによる電力消費をなくすことができ、電力消費の低減に大きく寄与することができる。
【００８４】
また、第１の変形例では、電子機器１０３の全ＬＥＤが保守作業等の所定の場合を除いてスイッチオフとなっている。このため、電子機器１０３の状態や通信流量の変動についてのＬＥＤ情報が特定の場合以外は非表示となっており、ネットワーク機器等の電子機器１０３の使用状態に関するセキュリティの改善を図ることができる。
【００８５】
＜第２の変形例＞
【００８６】
図１５は、本発明の第２の変形例における機器点灯制御システムの構成の概要を表わしたものである。図１５で図６および図１１と同一部分には同一の符号を付しており、これらの説明を適宜省略する。
【００８７】
第２の変形例による機器点灯制御システム１００Ｂは、操作端末１０１と、この操作端末１０１にコンソールケーブル１０２を介して接続された電子機器１０３Ｂと、図示しない保守作業者の携行するＩＣタグ４０１とによって構成されている。ルータに代表される第２の変形例の電子機器１０３ＢのＣＰＵカード１１２ＢにはＩＣタグリーダ４１１が収容されており、制御部１２２Ｂと接続されている。ＩＣタグリーダ４１１は、ＩＣタグ４０１と無線４２１によって有限の距離で通信を行うようになっている。
【００８８】
図１６は、第２の変形例における制御部の概要を表わしたものである。図１６で図７と同一部分には同一の符号を付しており、これらの説明を適宜省略する。図１５と共に説明する。
【００８９】
制御部１２２Ｂは、ＣＰＵカード１１２の全体を制御するＣＰＵ１４１を備えている。ＣＰＵ１４１は、制御部１２２内でメモリ１４２Ｂ、第１のタイマ１４３、第２のタイマ１４４、ログイン名・パスワード格納部４３１および異常履歴格納部１４６と接続されている。
【００９０】
ここで、メモリ１４２ＢはＣＰＵ１４１の実行するプログラムを格納したり、作業用のメモリ領域となる。第１のタイマ１４３は、該当するＬＥＤのスイッチオンの時点からスイッチオフまでの時間を測定するものである。第２のタイマ１４４は、保守作業完了後、ログアウトに同期させ、ＬＥＤスイッチをオンに戻した後に、そのＬＥＤをスイッチオフに変更するまでの時間を測定するものである。ログイン名・パスワード格納部４３１は、保守作業者が携行するＩＣタグ４０１に格納されたログイン名およびパスワードを格納するメモリ領域である。異常履歴格納部１４６は、ＣＰＵカード１１２Ｂならびにインタフェースカード１１４に異常が発生したり、第１〜第４のＰＨＹ・ＭＡＣ部１３３1〜１３３4でエラーデータの送受信が検出されたときに、これらの異常履歴を異常履歴データとして格納するようになっている。これらの異常履歴データは、保守作業者が特に指定しなければ、前回のログアウトが行われてから現在に至る範囲で読み出しが行われるようになっている。
【００９１】
図１７は、図８に示したステップＳ２０２およびステップＳ２０３に対応するこの変形例における電子機器側の処理の流れを示したものである。図１７で図９と同一部分には同一の符号を付している。図１５および図１６と共に説明する。
【００９２】
保守作業の操作前の状態で全ＬＥＤが点灯または点滅の状態にある電子機器１０３Ｂに対して、保守作業者がコンソールケーブル１０２を接続すると、電子機器１０３Ｂは操作端末１０１との接続を確認してＩＣタグリーダ４１１を作動させる（ステップＳ５０１）。これにより、保守作業者が電子機器１０３Ｂの近辺にいればＩＣタグリーダ４１１はＩＣタグ４０１から送られてくるログイン名とパスワードからなる認証用データを受信する（ステップＳ５０２）。
【００９３】
電子機器１０３ＢのＣＰＵ１４１は受信したログイン名とパスワードをログイン名・パスワード格納部４３１に格納されているログイン名およびパスワードと比較する（ステップＳ５０２）。この結果、ログイン名とパスワードの双方が一致すれば（ステップＳ５０４：Ｙ）、図９のステップＳ２２２以降の処理が進行する。
【００９４】
すなわち、ＣＰＵ１４１は異常履歴格納部１４６から該当する日時範囲の異常履歴データを読み出して（ステップＳ２２２）、異常履歴データが存在するかをチェックする（ステップＳ２２３）。その結果、たとえば保守作業者が前回、この電子機器１０３Ｂに保守作業のためにアクセスした時点から新たな異常履歴データが異常履歴格納部１４６に格納されていた場合（Ｙ）、ＣＰＵ１４１は第１のタイマ１４３の計時を開始させる（ステップＳ２２４）。
【００９５】
第１のタイマ１４３の計時を開始させたら、ＣＰＵ１４１は異常履歴データで示された異常あるいはエラーの発生している、あるいは発生した該当する箇所のＬＥＤをすべてのスイッチオンの状態にしてこれらの点灯あるいは点滅表示を行わせる（ステップＳ２２５）。第１のタイマ１４３の計時が予め定めた時間に達する前までは（ステップＳ２２６：Ｎ）、ステップＳ２２５に処理が戻って該当する箇所のＬＥＤをすべてが点灯あるいは点滅表示を継続する。
【００９６】
第１のタイマ１４３の計時が終了すると（ステップＳ２２６：Ｙ）、該当するＬＥＤのすべてをスイッチオフとして消灯させる（ステップＳ２２７）。そして、ＩＣタグリーダ４１１をスイッチオフして（ステップＳ５０５）、保守作業時の前半の処理を終了させる（エンド）。
【００９７】
一方、ステップＳ２２３で異常履歴データが存在しないと判別した場合（Ｎ）、ＣＰＵ１４１は今までスイッチオンとなっていたすべてのＬＥＤをスイッチオフとする（ステップＳ２２８）。そして、ステップＳ５０５の処理を行うことになる。
【００９８】
また、ステップＳ５０４でログイン名とパスワードの少なくとも一方が一致せず、認証に失敗した場合には（Ｎ）、電子機器１０３Ｂは操作端末１０１に認証が失敗した旨のエラーを通知する（ステップＳ５０６）。そして、今までスイッチオンとなっていたすべてのＬＥＤをスイッチオフとして（ステップＳ２２８）、更にＩＣタグリーダ４１１をスイッチオフし（ステップＳ５０５）、保守作業時の前半の処理を終了させる（エンド）。たとえば正式の保守作業者でない者が市販のコンソールケーブル１０２を自分のパーソナルコンピュータと電子機器１０３Ｂに接続した場合には、認証用の専用のＩＣタグ４０１を携行していない。したがって、この場合には認証が失敗し（ステップＳ５０４：Ｎ）、ステップＳ２２４以降のＬＥＤによる表示制御が行われることはない。
【００９９】
図１８は、保守作業の後半として、ステップＳ２０４およびステップＳ２０５に対応する電子機器側の処理の具体的な流れを表わしたものである。図１８で図１０と同一部分には同一の符号を付している。図１５および図１６と共に説明する。
【０１００】
ステップＳ２０３の処理が終了した時点でＣＰＵ１４１は保守作業者がインタフェースカード１１４の統計情報を取得するために、第１ポートから第４ポートに対応する第１〜第４のＰＨＹ・ＭＡＣ部１３３1〜１３３4のいずれかにアクセスするか（ステップＳ２５１）、ＩＣタグ４０１が未検出となるか（ステップＳ５２１）の判別を行っている。ここでＩＣタグ４０１が未検出となるとは、ＩＣタグリーダ４１１が保守作業者の携行するＩＣタグ４０１を検出できなくなる場合をいい、通常想定されるのは保守作業が終了して保守作業者が現場から立ち去る場合である。
【０１０１】
先に説明したように保守作業者以外の第三者が不正に電子機器１０３Ｂにアクセスしたような場合や、保守作業者が図１７で説明した前半の作業のみ行って全作業を終了させた場合、ＩＣタグ４０１が未検出となる（ステップＳ５２１：Ｙ）。この場合、ＣＰＵ１４１はすべてのＬＥＤを点灯させて（ステップＳ２５８）、保守作業時の制御を終了する（エンド）。これにより、電子機器１０３は保守作業前の状態としての全ＬＥＤがスイッチオンの状態に戻る。
【０１０２】
一方、保守作業者が第１〜第４のＰＨＹ・ＭＡＣ部１３３1〜１３３4のいずれかを指定してアクセスの指示を行った場合（ステップＳ２５１：Ｙ）、ＣＰＵ１４１は第１のタイマ１４３の計時動作を開始させる（ステップＳ２５３）。そしてＣＰＵ１４１は該当するＰＨＹ・ＭＡＣ部１３３のリンクＬＥＤ１３４と、トラフィックＬＥＤ１３５を共にスイッチオンして、これらの点灯あるいは点滅を開始させる（ステップＳ２５４）。第１のタイマ１４３の計時が予め定めた時間に達する前までは（ステップＳ２５５：Ｎ）、他の回線ポートについてのアクセスの指示やＩＣタグ４０１の未検出が生じない限りステップＳ２５６：Ｎ、ステップＳ５２２：Ｎ）、ステップＳ２５４に処理が戻って該当する箇所のＬＥＤの点灯あるいは点滅表示が継続する。
【０１０３】
他の回線ポートについてのアクセスの指示やＩＣタグ４０１の未検出が行われることなく（ステップＳ２５６：Ｎ、ステップＳ５２２：Ｎ）、第１のタイマ１４３の計時が終了した場合（ステップＳ２５５：Ｙ）、ＣＰＵ１４１は処理をステップＳ２５１に戻して保守作業者の操作を待機することになる。この待機時間にはステップＳ２５４の処理が行われない。すなわち、第１のタイマ１４３の計時が終了した時点から該当するＰＨＹ・ＭＡＣ部１３３のリンクＬＥＤ１３４とトラフィックＬＥＤ１３５が共に消灯して、電力消費の節減が図られることになる。
【０１０４】
一方、第１のタイマ１４３の計時が終了する前であっても（ステップＳ２５５：Ｎ）、保守作業者が回線ポートのアクセスを新たに指示した場合には（ステップＳ２５６：Ｙ）、その時点から第１のタイマ１４３の計時が再度開始し（ステップＳ２５３）、新たに指定されたＰＨＹ・ＭＡＣ部１３３のリンクＬＥＤ１３４とトラフィックＬＥＤ１３５がスイッチオンとなる（ステップＳ２５４）。
【０１０５】
第１のタイマ１４３の計時が終了する前であっても（ステップＳ２５５：Ｎ）、ＩＣタグ４０１の未検出が発生したら（ステップＳ５２２：Ｙ）、ＣＰＵ１４１はすべてのＬＥＤを点灯させて（ステップＳ２５８）、保守作業時の制御を終了する（エンド）。これにより、電子機器１０３は保守作業前の状態としての全ＬＥＤがスイッチオンの状態に戻ることになる。
【０１０６】
以上説明した本発明の第２の変形例によれば、保守作業者が保守対象の電子機器１０３Ｂから離れて無線４２１の到達しない範囲に移動すれば、自動的に保守作業が終了する。また、保守作業者は操作端末１０１からパスワード等の認証情報を入力する必要がないので、保守作業の効率化を図ることができるだけでなく、操作端末１０１の構成の簡略化を図ることができる。
【０１０７】
更に本発明の第２の変形例によれば、ログアウトを忘れたり失敗して保守作業者が現場から立ち去ることがないので、第三者が電子機器１０３Ｂの運用状態や通信流量の変動をＬＥＤにより確認するおそれを軽減することができ、セキュリティの改善を実現することができる。
【０１０８】
なお、実施の形態および各変形例では、複数のコネクタを基板上で相互に接続した回路基板としてのバックプレーンを有する電子機器に対して本発明を適用した例を説明したが、本発明はこれらの回路基板を備えない装置についても同様に適用可能であることは当然である。
【０１０９】
また、第２の変形例では保守作業前等の通常時に各ＬＥＤがスイッチオンとなっている電子機器１０３Ｂについて説明したが、これに限るものではない。すなわち、第１の変形例で説明したように、通常時に各ＬＥＤがスイッチオフとなっている電子機器に対しても本発明を同様に適用することができることは当然である。
【０１１０】
更に本発明の対象となる電子機器は、スイッチ、ルータ等の通信機器に限らず、ＬＥＤあるいは同様の発光素子あるいはランプを点灯あるいは点滅させるあらゆる電子機器の保守作業に適用できるものであることも当然である。
【０１１１】
更にまた実施の形態では操作端末１０１と電子機器１０３とをコンソールケーブル１０２で接続したが、ＵＳＢ（Universal Serial Bus）ケーブル等の他の有線ケーブルで接続してもよいし、両者の間を無線で接続してもよい。また、変形例ではＩＣタグ４０１を使用して認証の自動化を実現したが、操作端末１０１に認証申請データを予め格納しておき電子機器側の要求に応じてこれを送信するようにしておけば、同様の認証の自動化も可能である。しかも認証にはコンソールケーブル１０２の接続が要件とされるので、セキュリティも確保することができる。
【０１１２】
以上説明した実施の形態の一部または全部は、以下の付記のようにも記載されるが、以下の記載に限定されるものではない。
【０１１３】
（付記１）
自装置の予め定めた状態をランプの点灯あるいは点滅で表示する表示ランプと、
所定の認証手続きに使用する自装置側の認証確認用データを格納する認証確認用データ格納手段と、
自装置と予め定めた特定端末とを有線または無線で接続する特定端末接続手段と、
前記特定端末と自装置が前記特定端末接続手段によって接続したとき前記表示ランプの表示動作を可能とするための認証申請データの送信を要求する認証申請データ要求手段と、
この認証申請データ要求手段の要求に対して認証申請データが送られてきたときこれを受信する認証申請データ受信手段と、
この認証申請データ受信手段の受信した認証申請データを前記認証確認用データ格納手段に格納された前記認証確認用データと比較して認証の成否を判別する認証手段と、
この認証手段で認証が成功したと判別したとき前記表示ランプの表示動作を開始させる表示開始手段
とを具備することを特徴とする電子機器。
【０１１４】
（付記２）
前記特定端末接続手段は、自装置と前記特定端末をコンソールケーブルで接続することを特徴とする付記１記載の電子機器。
【０１１５】
（付記３）
前記認証申請データ受信手段は、前記特定端末から送られてくる認証申請データを受信することを特徴とする付記１記載の電子機器。
【０１１６】
（付記４）
前記認証申請データ受信手段は、ＩＣ（Integrated Circuit）タグから送られてくる認証申請データを受信することを特徴とする付記１記載の電子機器。
【０１１７】
（付記５）
前記表示ランプは、複数の状態を表示するランプであり、前記特定端末から前記表示ランプの表示する状態を特定する表示特定情報が送られてきたときこれを受信して前記表示ランプによる表示を特定させる表示特定情報受信手段を更に具備することを特徴とする付記１記載の電子機器。
【０１１８】
（付記６）
前記表示開始手段による表示が開始してから予め定めた第１の時間の計時を開始する第１のカウンタと、この第１のカウンタが第１の時間の計時を終了した時点で前記表示ランプの表示動作を終了させる表示終了手段とを具備することを特徴とする付記１記載の電子機器。
【０１１９】
（付記７）
前記特定端末による認証が成功した後に前記特定端末からログアウトの要求があったとき前記表示ランプへの電源の供給を開始させるスイッチオン手段を具備することを特徴とする付記１記載の電子機器。
【０１２０】
（付記８）
前記スイッチオン手段による前記表示ランプへの電源の供給が開始してから予め定めた第２の時間の計時を開始する第２のカウンタと、この第２のカウンタが第２の時間の計時を終了した時点で前記表示ランプへの電源の供給を停止させるスイッチオフ手段を更に具備することを特徴とする付記７記載の電子機器。
【０１２１】
（付記９）
予め定めた特定端末と、
自装置の予め定めた状態をランプの点灯あるいは点滅で表示する表示ランプと、所定の認証手続きに使用する自装置側の認証確認用データを格納する認証確認用データ格納手段と、自装置と前記特定端末とを有線または無線で接続する特定端末接続手段と、前記特定端末と自装置が前記特定端末接続手段によって接続したとき前記表示ランプの表示動作を可能とするための認証申請データの送信を要求する認証申請データ要求手段と、この認証申請データ要求手段の要求に対して認証申請データが送られてきたときこれを受信する認証申請データ受信手段と、この認証申請データ受信手段の受信した認証申請データを前記認証確認用データ格納手段に格納された前記認証確認用データと比較して認証の成否を判別する認証手段と、この認証手段で認証が成功したと判別したとき前記表示ランプの表示動作を開始させる表示開始手段とを備えた電子機器
とを具備することを特徴とする電子機器の状態表示確認システム。
【０１２２】
（付記１０）
前記認証申請データは、前記特定端末から送られてくることを特徴とする付記９記載の電子機器の状態表示確認システム。
【０１２３】
（付記１１）
予め定めた特定端末と、
自装置の予め定めた状態をランプの点灯あるいは点滅で表示する表示ランプと、所定の認証手続きに使用する自装置側の認証確認用データを格納する認証確認用データ格納手段と、自装置と前記特定端末とを有線または無線で接続する特定端末接続手段と、前記特定端末と自装置が前記特定端末接続手段によって接続したとき前記表示ランプの表示動作を可能とするための認証申請データの送信を要求する認証申請データ要求手段と、この認証申請データ要求手段の要求に対して認証申請データが送られてきたときこれを受信する認証申請データ受信手段と、この認証申請データ受信手段の受信した認証申請データを前記認証確認用データ格納手段に格納された前記認証確認用データと比較して認証の成否を判別する認証手段と、この認証手段で認証が成功したと判別したとき前記表示ランプの表示動作を開始させる表示開始手段とを備えた電子機器と、
前記認証申請データを格納する認証申請データ格納手段と、前記認証申請データ要求手段から認証申請データが要求されたとき前記認証申請データ格納手段に格納された認証申請データを無線で送信する認証申請データ送信手段とを備えたＩＣ（Integrated Circuit）タグ
とを具備することを特徴とする電子機器の状態表示確認システム。
【０１２４】
（付記１２）
前記ＩＣタグによる認証が成功した後にこのＩＣタグが前記電子機器から検出できなくなったときログアウトとして前記表示ランプへの電源の供給を開始させるスイッチオン手段を具備することを特徴とする付記１１記載の電子機器の状態表示確認システム。
【０１２５】
（付記１３）
前記スイッチオン手段による前記表示ランプへの電源の供給が開始してから予め定めた第２の時間の計時を開始する第２のカウンタと、この第２のカウンタが第２の時間の計時を終了した時点で前記表示ランプへの電源の供給を停止させるスイッチオフ手段を更に具備することを特徴とする付記１２記載の電子機器の状態表示確認システム。
【０１２６】
（付記１４）
自装置と予め定めた特定端末とを有線または無線で接続する特定端末接続ステップと、
この特定端末接続ステップで前記特定端末と自装置が接続したとき自装置の予め定めた状態をランプの点灯あるいは点滅で表示する表示ランプの表示動作を可能とするための認証申請データの送信を要求する認証申請データ要求ステップと、
この認証申請データ要求ステップによる要求に対して前記認証申請データが送られてきたときこれを受信する認証申請データ受信ステップと、
この認証申請データ受信ステップで受信した前記認証申請データを、所定の認証手続きに使用する自装置側の認証確認用データと比較して認証の成否を判別する認証ステップと、
この認証ステップで認証が成功したと判別したとき前記表示ランプの表示動作を開始させる表示開始ステップ
とを具備することを特徴とする電子機器の状態表示確認方法。
【０１２７】
（付記１５）
コンピュータに、
自装置と予め定めた特定端末とを有線または無線で接続する特定端末接続処理と、
この特定端末接続処理で前記特定端末と自装置が接続したとき自装置の予め定めた状態をランプの点灯あるいは点滅で表示する表示ランプの表示動作を可能とするための認証申請データの送信を要求する認証申請データ要求処理と、
この認証申請データ要求処理による要求に対して前記認証申請データが送られてきたときこれを受信する認証申請データ受信処理と、
この認証申請データ受信処理で受信した前記認証申請データを、所定の認証手続きに使用する自装置側の認証確認用データと比較して認証の成否を判別する認証処理と、
この認証処理で認証が成功したと判別したとき前記表示ランプの表示動作を開始させる表示開始処理
とを具備することを実行させることを特徴とする電子機器の状態表示確認プログラム。
【符号の説明】
【０１２８】
１０、２２、３２、１０３、１０３Ｂ  電子機器
１１、２２ａ、３２ａ  表示ランプ
１２、２２ｂ、３２ｂ  認証確認用データ格納手段
１３、２２ｃ、３２ｃ  特定端末接続手段
１４、２２ｄ、３２ｄ  認証申請データ要求手段
１５、２２ｅ、３２ｅ  認証申請データ受信手段
１６、２２ｆ、３２ｆ  認証手段
１７、２２ｇ、３２ｇ  表示開始手段
２０、３０  電子機器の状態表示確認システム
２１、３１  特定端末
３３、４０１  ＩＣタグ
３３ａ  認証申請データ格納手段
３３ｂ  認証申請データ送信手段
４０  電子機器の状態表示確認方法
４１  特定端末接続ステップ
４２  認証申請データ要求ステップ
４３  認証申請データ受信ステップ
４４  認証ステップ
４５  表示開始ステップ
５０  電子機器の状態表示確認プログラム
５１  特定端末接続処理
５２  認証申請データ要求処理
５３  認証申請データ受信処理
５４  認証処理
５５  表示開始処理
１０１  操作端末
１０２  コンソールケーブル
１１１  バックプレーン
１１２  ＣＰＵカード
１２１  コネクタ
１２２、１２２Ｂ  制御部
１２４  第１の制御デバイス
１２６  全体ステータスＬＥＤ
１２７  ＣＰＵステータスＬＥＤ
１３１  第２の制御デバイス
１３３  ＰＨＹ・ＭＡＣ部
１３４  リンクＬＥＤ
１３５  トラフィックＬＥＤ
１４１  ＣＰＵ
１４２、１４２Ｂ  メモリ
１４３  第１のタイマ
１４４  第２のタイマ
１４５  ＩＤ・パスワード格納部
１４６  異常履歴格納部
４０１  ＩＣタグ
４１１  ＩＣタグリーダ
４２１  無線
４３１  ログイン名・パスワード格納部
【図１】
0005712648.tif 000002
【図２】
0005712648.tif 000003
【図３】
0005712648.tif 000004
【図４】
0005712648.tif 000005
【図５】
0005712648.tif 000006
【図６】
0005712648.tif 000007
【図７】
0005712648.tif 000008
【図８】
0005712648.tif 000009
【図９】
0005712648.tif 000010
【図１０】
0005712648.tif 000011
【図１１】
0005712648.tif 000012
【図１２】
0005712648.tif 000013
【図１３】
0005712648.tif 000014
【図１４】
0005712648.tif 000015
【図１５】
0005712648.tif 000016
【図１６】
0005712648.tif 000017
【図１７】
0005712648.tif 000018
【図１８】
0005712648.tif 000019